(57)【特許請求の範囲】
【請求項１】
分電盤ケースの内側に、電路を遮断する主幹ブレーカと、電路上のネジ接続部の過熱状態を検出する過熱検出器とを設け、前記過熱検出器が前記主幹ブレーカから独立した検出器ケースを備え、
前記検出器ケースの内側に、分電盤の入力線および分岐用銅バーに接続されるセンサ回路と、前記センサ回路の出力に基づいて前記ネジ接続部の過熱状態を判定する判定回路と、過熱状態が判定されたときに前記主幹ブレーカを遮断動作させる遮断回路とを設け、
前記過熱検出器が、前記分岐用銅バーに着脱されるプラグイン端子を備え、前記検出器ケースを分岐ブレーカと並べて前記分岐用銅バー上に装備したことを特徴とする分電盤。
【請求項２】
前記遮断回路が前記主幹ブレーカに擬似漏電電流を流す擬似漏電回路を含む請求項１記載の分電盤。
【請求項３】
前記過熱検出器が、前記センサ回路の電流通過を遮断する第１スイッチと、前記擬似漏電回路を閉じる第２スイッチと、前記擬似漏電回路を開くリセットボタンと、過熱状態が判定されたときに前記第１および前記第２スイッチを駆動するアクチュエータとを含む請求項２記載の分電盤。
【発明の詳細な説明】
【技術分野】
【０００１】
本発明は、ネジ接続部の過熱状態を検出し、検出後に電路を遮断する機構を備えた分電盤に関する。
【背景技術】
【０００２】
一般に、分電盤内に装備されるブレーカや端子台等の機器は、端子部にネジを使用しているため、ネジの緩みで電源座と圧着端子との接触状態が不安定になると、アーク放電が発生し、過熱状態となりやすい。そこで、従来、端子部の過熱状態を検出するためのセンサ回路をブレーカに内蔵した技術が提案されている。
【０００３】
例えば、特許文献１には、図４に示すようなセンサ回路１０１の両端を端子ネジ１０２と電源座１０３とに接続し、これらの端子部品の電位差に基づいて、電源座１０３と圧着端子１０４との接触不良を検出するブレーカが記載されている。
【先行技術文献】
【特許文献】
【０００４】
【特許文献１】特開２００９−２４５８３６号公報
【発明の概要】
【発明が解決しようとする課題】
【０００５】
ところで、ブレーカの端子部は、一次側と二次側にそれぞれ複数設けられており、また、分電盤には、主幹ブレーカや分岐ブレーカの他に、端子台、リミッター、銅バーなど、ネジを用いた多数の電気接続部が存在する。このため、図４に示すようなセンサ回路１０１を多数のネジ接続部に設けた場合、検出用リード線の本数が増え、分電盤内が煩雑になるという問題点があった。
【０００６】
そこで、本発明の目的は、多数のネジ接続部の過熱状態を単一の検出器で検出し、検出時に電路を遮断できる分電盤を提供することにある。
【課題を解決するための手段】
【０００７】
上記課題を解決するために、本発明は次のような分電盤を提供する。
（１）分電盤ケースの内側に、電路を遮断する主幹ブレーカと、電路上のネジ接続部の過熱状態を検出する過熱検出器とを設け、過熱検出器が主幹ブレーカから独立した検出器ケースを備え、検出器ケースの内側に、分電盤の入力線および分岐用銅バーに接続されるセンサ回路と、センサ回路の出力に基づいてネジ接続部の過熱状態を判定する判定回路と、過熱状態が判定されたときに主幹ブレーカを遮断動作させる遮断回路とを設けたことを特徴とする分電盤。
【０００８】
（２）過熱検出器が分岐用銅バーに着脱されるプラグイン端子を備え、検出器ケースを分岐ブレーカと並べて分岐用銅バー上に装備したことを特徴とする分電盤。
【０００９】
（３）遮断回路が主幹ブレーカに擬似漏電電流を流す擬似漏電回路を含むことを特徴とする分電盤。
【００１０】
（４）過熱検出器が、センサ回路の電流通過を遮断する第１スイッチと、擬似漏電回路を閉じる第２スイッチと、擬似漏電回路を開くリセットボタンと、過熱状態が判定されたときに、第１および第２スイッチを駆動するアクチュエータとを含むことを特徴とする分電盤。
【発明の効果】
【００１１】
本発明の分電盤によれば、分電盤ケース内に主幹ブレーカと過熱検出器を別々に設け、過熱検出器のセンサ回路を分電盤の入力線および分岐用銅バーに接続したので、主幹ブレーカのみならず、これに接続された端子台、リミッター、銅バー等の多数のネジ接続部の過熱状態を単一の検出器で検出できるとともに、検出時に主幹ブレーカを動作させて、電路を遮断できるという効果がある。
【図面の簡単な説明】
【００１２】
【図１】本発明の一実施形態を示す分電盤の正面図である。
【図２】主幹ブレーカと過熱検出器の構成を示す回路図である。
【図３】主幹ブレーカと過熱検出器の動作を示す回路図である。
【図４】従来のブレーカ用センサ回路を示す回路図である。
【発明を実施するための形態】
【００１３】
以下、本発明の実施形態を図面に基づいて説明する。図１に示す分電盤１は、分電盤ケース２の内側に端子台３、リミッター４、主幹ブレーカ５、過熱検出器７、分岐ブレーカ８を装備している。ただし、本発明は、図１に示す分電盤１に限定されず、異なる種類のブレーカを追加したり、端子台３とリミッター４の一方または両方を省いて実施することもできる。
【００１４】
図１に示す分電盤１では、外部から引き込んだ３本の入力線１１が端子台３の第１入力端子３１に接続されている。第１入力端子３１は同じ端子金具上の第１出力端子３２に接続され、第１出力端子３２が電路の一部を構成するリード線２１によってリミッター４の一次側端子４１に接続されている。端子台３の第１入力端子３１および第１出力端子３２は、それぞれ端子ネジ３５，３６を備えたネジ接続部である。
【００１５】
リミッター４の一次側端子４１は内部配線（図示略）を介して二次側端子４２に接続されている。これらの端子４１，４２も、端子ネジ４３，４４を備えたネジ接続部である。リミッター４の二次側端子４２は電路の一部を構成するリード線２２で端子台３の第２入力端子３３に接続され、第２入力端子３３が同じ端子金具上の第２出力端子３４に接続されている。第２入力端子３３は、端子ネジ３７を備えたネジ接続部である。
【００１６】
端子台３の第２出力端子３４は主幹ブレーカ５の一次側端子５１に接続され、一次側端子５１が電路の一部を構成する電線５６（図２参照）を介して二次側端子５２に接続されている。一次、二次側端子５１，５２は、それぞれ端子ネジ５３，５４を備えたネジ接続部である。そして、主幹ブレーカ５の二次側端子５２が中継用銅バー１３と分岐用銅バー１４を介して過熱検出器７の二次側端子７２に接続されている。
【００１７】
中継用銅バー１３はネジ１５で分岐用銅バー１４に接続され、分岐用銅バー１４が分電盤ケース３の長手方向に延びている。過熱検出器７は、分岐ブレーカ８と同じ側面形状のケーシング７３、詳しくは、奥行きおよび高さ寸法が分岐ブレーカ８と同じで、幅寸法が分岐ブレーカ８よりも大きい（例えば２倍）ケーシング７３を備え、分岐ブレーカ８と一列に並ぶように分岐用銅バー１４の指定位置に装着されている。
【００１８】
過熱検出器７の二次側端子７２は、ネジ締めが不要なプラグイン端子であり、分岐用銅バー１４に着脱自在に接続されている。そして、過熱検出器７の一次側端子７１は、分電盤１の入力線１１に接続される端子であり、リード線２３で端子台３の第１入力端子３１に接続されている。
【００１９】
図２および図３は、端子台３を省略し、主幹ブレーカ５と過熱検出器７の内部回路を示している。主幹ブレーカ５のブレーカケース５５には３本の電線５６（電圧線Ｌ１，Ｌ２、中性線Ｎ）が配線され、電線５６上に電路を開閉する主接点５７と、電路に流れる過電流に感応するバイメタル５８（電圧線Ｌ１，Ｌ２のみ）とが配設されている。
【００２０】
過熱検出器７の検出器ケース７３には３本の検出線７４が配線され、それぞれに一次側端子（入力線接続端子）７１と二次側端子（分岐用銅バー接続端子）７２との電位差を検出するセンサ回路７５と、センサ回路７５を開閉する第１スイッチ７６とが設けられている。センサ回路７５としては、特定の構成に限定されないが、例えばフォトカプラ１０５（図４参照）を用いた入出力絶縁型の回路を使用できる。
【００２１】
センサ回路７５の出力線７７は、統合入力回路７８を介して平均値回路７９に接続されている。平均値回路７９はセンサ回路７５の出力から平均値を求め、判定回路８０が平均値を閾値と比較し、電路上に設けられた多数のネジ接続部（図１に示す端子３１，３２，３３，３４，４１，４２，５１，５２、銅バー接続部１５）の過熱状態を判定する。
【００２２】
判定回路８０が過熱状態を判定したときには、その判定結果が自己保持回路８１で所定時間保持され、この時間中に出力回路８２が駆動信号を出力してアクチュエータである電磁コイル８４を励磁する。そして、電磁コイル８４がリンク８５を介して検出線７４上の第１スイッチ７６を開き、同時に、擬似漏電回路８６上の第２スイッチ８７を閉じる。
【００２３】
擬似漏電回路８６は、主幹ブレーカ５の２本の電線５６（Ｌ１，Ｎ）に接続され、第２スイッチ８７が閉じたときに、抵抗８８で定まる値の擬似漏電電流を主幹ブレーカ５に流し、そのトリップコイル（図示略）を動作させ、主接点５７を開いて電路を遮断するようになっている。なお、過熱検出器７には、復旧時に、第１スイッチ７６を閉じるハンドル８９（図１参照）と、第２スイッチ８７を開くリセットボタン９０とが設けられている。
【００２４】
上記構成の分電盤１において、電路が正常な状態にあるときには、図２に示すように、過熱検出器７の電磁コイル８４が消磁し、第１スイッチ７６が閉じ、第２スイッチ８７が開き、擬似漏電回路８６が開路状態にあり、主幹ブレーカ５の主接点５７が閉じている。一方、端子台３、リミッター４、主幹ブレーカ５、銅バー１３，１４を含む電路上のどこかでネジ接続部に接触不良が発生すると、判定回路８０がその過熱状態を判定し、出力回路８２が電磁コイル８４を励磁する。
【００２５】
これにより、図３に示すように、第１スイッチ７６が開き、第２スイッチ８７が閉じ、擬似漏電回路８６が閉路状態となる。そして、擬似漏電電流が主幹ブレーカ５に流れ、主接点５７が開き、電路が遮断される。復旧に際しては、リセットボタン９０を押し、第２スイッチ８７を開き、擬似漏電回路８６を開路状態とし（図２参照）、ネジの緩みを解消した後に、主幹ブレーカ５のハンドル５９（図１参照）をＯＮし、主接点５７を閉じ、過熱検出器７のハンドル８９をＯＮし、第１スイッチ７６を閉じる。
【００２６】
この分電盤１よれば、分電盤ケース２の内側に主幹ブレーカ５と過熱検出器７を別々に設け、過熱検出器７のセンサ回路７５を分電盤１の入力線１１および分岐用銅バー１４に接続したので、主幹ブレーカ５のみならず、これに接続された端子台３、リミッター４、銅バー１３，１４を含む多数のネジ接続部３１，３２，３３，３４，４１，４２，５１，５２の過熱状態を単一の検出器７で簡単に検出できる。また、過熱検出器７を分岐ブレーカ８と並べて分岐用銅バー１４上に整然と配列できるという利点もある。
【００２７】
本発明は、上記実施形態に限定されるものではなく、盤内機器として一次送り回路用ブレーカや時間帯別電灯契約機器用ブレーカ等を追加したり、ネジ接続部の過熱状態を知らせるためのランプを過熱検出器７の検出器ケースに設けたりするなど、発明の趣旨を逸脱しない範囲で、各部の構成や配線順序を適宜に変更して実施することも可能である。
【符号の説明】
【００２８】
１    分電盤
２    分電盤ケース
３    端子台
４    リミッター
５    主幹ブレーカ
７    過熱検出器
８    分岐ブレーカ
１１    入力線
１３    中継用銅バー
１４    分岐用銅バー
７３    検出器ケース
７５    センサ回路
７６    第１スイッチ
８０    判定回路
８４    電磁コイル
８６    擬似漏電回路
８７    第２スイッチ
９０    リセットスイッチ
【図１】
0005820652.tif 000002
【図２】
0005820652.tif 000003
【図３】
0005820652.tif 000004
【図４】
0005820652.tif 000005